【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
高周波電場を出射することによって、燃料−空気混合物を電離し、コロナ放電を提供するためのコロナ点火装置であって、
導電性材料から形成され、高周波電圧を受け、前記高周波電場を出射するための中心電極と、
電気絶縁材料から形成され、前記中心電極を取り囲み且つ絶縁体上方端部から絶縁体ノーズ端部まで長手方向に延在する絶縁体とを備え、
前記絶縁体は、前記絶縁体上方端部から前記絶縁体ノーズ端部まで延在する絶縁体外面を含み、
前記絶縁体外面は、絶縁体外径を呈し、
前記絶縁体外面は、外側に延在し且つ前記絶縁体上方端部と前記絶縁体ノーズ端部との間に位置する絶縁体下方肩部を含み、
前記絶縁体下方肩部は、前記絶縁体外径の増加を呈し、
前記コロナ点火装置は、
前記絶縁体の少なくとも一部を取り囲み且つシェル上方端部からシェル点火端まで延在するシェルを備え、
前記シェルは、前記絶縁体外面に面し且つ前記絶縁体外面に沿って前記シェル上方端部から前記シェル点火端まで延在するシェル内面を呈し、
前記シェル内面は、シェル内径を呈し、
前記シェルの少なくとも１つの場所における前記シェル内径は、前記絶縁体下方肩部における前記絶縁体外径よりも小さく、
前記コロナ点火装置は、
導電性材料から形成され、前記絶縁体外面と前記シェル内面との間および前記絶縁体上方端部と前記絶縁体下方肩部との間に配置された中間部材を備える、コロナ点火装置。
【請求項２】
前記絶縁体が張力のかかった状態ではないように、前記絶縁体は、前記中間部材のみに沿って支持される、請求項１に記載のコロナ点火装置。
【請求項３】
前記シェル点火端における前記シェル内径は、前記絶縁体下方肩部における前記絶縁体外径よりも小さい、請求項１に記載のコロナ点火装置。
【請求項４】
前記中間部材は、前記絶縁体外面を前記シェル内面に固定するための金属層である、請求項１に記載のコロナ点火装置。
【請求項５】
前記金属層は、前記絶縁体外面を前記シェル内面にろう付けする、請求項４に記載のコロナ点火装置。
【請求項６】
前記中間部材は、前記絶縁体の周りに周方向に延在する金属スリーブである、請求項１に記載のコロナ点火装置。
【請求項７】
前記中間部材は、前記金属スリーブを前記絶縁体外面および前記シェル内面に固定するための金属層を含む、請求項６に記載のコロナ点火装置。
【請求項８】
前記絶縁体外径は、減少することによって、前記絶縁体下方肩部における前記絶縁体外径の増加から離れた中央レッジを呈し、
前記絶縁体は、前記中央レッジと前記絶縁体下方肩部との間に位置する溝を含み、
前記中間部材は、前記溝に配置されている、請求項１記載のコロナ点火装置。
【請求項９】
前記シェルは、前記シェル点火端に下方折返フランジを含み、
前記下方折返フランジは、前記絶縁体の径方向内側および前記溝内に延在し、
前記中間部材は、前記下方折返フランジと前記絶縁体外面との間に位置する前記溝内に配置されている、請求項８のコロナ点火装置。
【請求項１０】
前記下方折返フランジは、前記中央レッジの周りに弯曲する、請求項９に記載のコロナ点火装置。
【請求項１１】
前記中間部材は、前記絶縁体外面および前記シェル内面に固定されている、請求項１に記載のコロナ点火装置。
【請求項１２】
前記中間部材は、金属層であり、
前記絶縁体外面は、前記中間部材に沿って、凹部によって離間された複数のリブを呈する、請求項１に記載のコロナ点火装置。
【請求項１３】
前記中間部材は、前記絶縁体下方肩部から離れている、請求項１に記載のコロナ点火装置。
【請求項１４】
前記中心電極は、前記絶縁体ノーズ端部の外側に配置され、径方向外側に延在する複数のプロングを有するコロナ増強先端を含む、請求項１に記載のコロナ点火装置。
【請求項１５】
前記絶縁体は、前記絶縁体上方端部から絶縁体上方肩部までおよび前記絶縁体上方肩部から前記絶縁体下方肩部まで長手方向に延在し、
前記絶縁体上方肩部は、前記絶縁体外径の増加を呈し、
前記絶縁体外径は、前記絶縁体上方端部から前記絶縁体上方肩部まで一定であり、
前記絶縁体上方肩部における前記絶縁体外径は、前記絶縁体上方端部における前記絶縁体外径よりも大きく、
前記絶縁体下方肩部における前記絶縁体外径は、前記絶縁体上方肩部における前記絶縁体外径よりも大きく、
前記絶縁体外径は、前記絶縁体下方肩部から前記絶縁体ノーズ端部まで減少し、
前記絶縁体が張力のかかった状態ではなく、圧縮された状態でもないように、前記絶縁体は、前記中間部材のみに沿って支持され、
前記シェル点火端は、前記絶縁体下方肩部と係合し、
前記シェル点火端における前記シェル内径は、前記絶縁体下方肩部における前記絶縁体外径よりも小さく、
前記中間部材は、前記絶縁体を前記シェルに固定するための金属層であり、前記金属は、ニッケル、コバルト、鉄、銅、錫、亜鉛、銀および金のうち１つ以上を含み、
前記中心電極は、前記絶縁体ノーズ端部の外側に配置され、径方向外側に延在する複数のプロングを有するコロナ増強先端を含む、請求項１に記載のコロナ点火装置。
【請求項１６】
コロナ点火装置を形成する方法であって、
電気絶縁材料から形成され、絶縁体上方端部から絶縁体ノーズ端部まで延在する絶縁体を提供するステップを含み、
前記絶縁体は、前記絶縁体上方端部から前記絶縁体ノーズ端部まで延在し且つ絶縁体外径を呈する絶縁体外面を含み、前記絶縁体外面は、外側に延在し且つ前記絶縁体上方端部と前記絶縁体ノーズ端部との間に位置する絶縁体下方肩部を呈し、前記絶縁体下方肩部は、前記絶縁体外径の増加を呈し、
シェル上方端部からシェル点火端まで延在し、シェルボアを呈するシェル内面を含むシェルを提供するステップを含み、前記シェル内面は、シェル内径を呈し、前記シェルの少なくとも１つの場所における前記シェル内径は、前記絶縁体下方肩部における前記絶縁体外径よりも小さく、
前記シェル点火端から、前記絶縁体上方端部を前記シェルボアに挿入するステップと、
導電性材料から形成された中間部材を前記絶縁体外面と前記シェル内面との間に配置するステップとを含む、方法。
【請求項１７】
前記絶縁体が張力のかかった状態ではないように、前記中間部材のみに沿って前記絶縁体を支持するステップを含む、請求項１６に記載の方法。
【請求項１８】
前記中間部材を前記絶縁体外面と前記シェル内面との間に配置するステップは、前記絶縁体外面を前記シェル内面にろう付けすることを含む、請求項１６に記載の方法。
【請求項１９】
前記中間部材を前記絶縁体外面と前記シェル内面との間に配置するステップは、前記絶縁体の周りに固体金属部品を配置することと、前記固体金属部品を前記絶縁体外面および前記シェル内面にろう付けすることとを含む、請求項１６に記載の方法。
【請求項２０】
前記シェル点火端を前記絶縁体下方肩部に係合させることを含む、請求項１６に記載の方法。
【請求項２１】
前記絶縁体外径は、減少することによって、前記絶縁体下方肩部から離れた中央レッジを呈し、
前記絶縁体は、前記中央レッジと前記絶縁体下方肩部との間に位置する溝を含み、
前記中間部材を前記絶縁体外面と前記シェル内面との間に配置するステップは、前記中間部材を前記溝に配置することを含む、請求項１６に記載の方法。
【請求項２２】
前記シェルは、前記シェル点火端に下方折返フランジを含み、
前記下方折返フランジを前記溝内に弯曲させることを含む、請求項２０に記載の方法。
【手続補正２】
【補正対象書類名】明細書
【補正対象項目名】００１６
【補正方法】変更
【補正の内容】
【００１６】
図１〜９の実施形態において、絶縁体外面４６は、絶縁体上方端部３８と絶縁体ノーズ端部４０との間にそれぞれ位置し、中心軸Ａに対してそれぞれ径方向に延在する絶縁体上方肩部４８および絶縁体下方肩部５０を呈する。絶縁体上方肩部４８および絶縁体下方肩部５０の両方は、絶縁体上方端部３８に面しており、絶縁体外径Ｄｉｏの増加を呈する。図１〜８に示すように、絶縁体下方肩部５０における絶縁体外径Ｄｉｏの増加は、一般的に絶縁体上方肩部４８における増加よりも大きい。代替的に、図９に示すように、絶縁体下方肩部５０における絶縁体外径Ｄｉｏの増加は、相対的に小さくてもよい。
【手続補正３】
【補正対象書類名】明細書
【補正対象項目名】００２４
【補正方法】変更
【補正の内容】
【００２４】
図１７の実施形態において、シェル内径Ｄｓｉは、シェル上方肩部７０を呈するように絶縁体上方肩部４８の上方からわずかに増加し、その後、シェル上方肩部７０からシェル点火端６４まで一定になる。シェル上方肩部７０と絶縁体上方肩部４８との間には間隙が存在する。シェル点火端６４におけるシェル内径Ｄｓｉは、絶縁体下方肩部５０における絶縁体外径Ｄｉｏよりも小さい。シェル点火端６４は、絶縁体下方肩部５０に載置される。したがって、図１７のコロナ点火装置２０は、逆方向に組み立てられなければならない。この場合、絶縁体上部端３８は、シェル点火端６４が絶縁体上方肩部４８と係合するまでシェル点火端６４から挿入される。